(57)【要約】【課題】ユーザが過去の運動効果を容易に把握する。【解決手段】スマートフォン１は、ユーザの歩数と運動強度とを計測する加速度センサを備えた電子端末２と通信可能な近距離無線通信部１９と、位置を測位するＧＰＳ測位部１０と、ＣＰＵ１１とを備える。電子端末２は、加速度センサを備えており、この加速度センサによりユーザの歩数と運動強度とを計測する。近距離無線通信部１９は、電子端末２からユーザの歩数を示すエクササイズログを受信する。ＣＰＵ１１は、ＧＰＳ測位部１０によって測位した行程ログ１５４とエクササイズログ１５３とを関連させてタッチパネルディスプレイ１４に表示する。【選択図】図１
2019136136.tif 000002
【特許請求の範囲】
【請求項１】
ユーザの歩数を計測する歩数計測手段を備えた電子端末と通信可能な無線通信手段、位置を測位する測位手段と、表示制御手段とを備えたエクササイズデータ表示装置であって、
前記無線通信手段は、前記電子端末からユーザの歩数履歴情報を受信し、
前記表示制御手段は、前記測位手段が測位した位置履歴情報と前記歩数履歴情報とを関連させて表示部に表示する、
ことを特徴とするエクササイズデータ表示装置。
【請求項２】
前記無線通信手段が受信する前記歩数履歴情報には、ユーザの運動強度別の歩数が含まれており、
前記表示制御手段は、ユーザの運動強度別の歩数履歴情報を表示する、
ことを特徴とする請求項１に記載のエクササイズデータ表示装置。
【請求項３】
前記無線通信手段が受信する前記歩数履歴情報には、ストップウォッチの使用状況またはタイマの使用状況が含まれており、
前記表示制御手段は、単位時間ごとに前記歩数計測手段により算出された歩数履歴情報を表示すると共に、前記ストップウォッチの使用状況または前記タイマの使用状況を関連させて表示する、
ことを特徴とする請求項１または２に記載のエクササイズデータ表示装置。
【請求項４】
前記表示制御手段が前記表示部に表示した情報に対する指示を受け付ける操作受付手段を更に備え、
前記操作受付手段が、前記位置履歴情報の一部を指定する指示を受け付けた場合、当該一部の位置履歴情報に対応するユーザの歩数履歴情報を表示する、
ことを特徴とする請求項１から３のうちいずれか１項に記載のエクササイズデータ表示装置。
【請求項５】
前記表示制御手段が前記表示部に表示した情報に対する指示を受け付ける操作受付手段を更に備え、
前記操作受付手段が、前記歩数履歴情報の一部を指定する指示を受け付けた場合、当該一部の歩数履歴情報に対応する位置履歴情報を表示する、
ことを特徴とする請求項１から３のうちいずれか１項に記載のエクササイズデータ表示装置。
【請求項６】
電子装置は、位置情報を測位して位置履歴情報として記録し、
ユーザの歩数を計測した電子端末と無線通信して、前記ユーザの歩数履歴情報を受信し、
前記電子装置の表示制御手段は、前記位置履歴情報と前記歩数履歴情報とを関連させて表示部に表示させる、
ことを特徴とするエクササイズデータ表示方法。
【発明の詳細な説明】
【技術分野】
【０００１】
本発明は、エクササイズデータ表示装置およびエクササイズデータ表示方法に関する。
【背景技術】
【０００２】
従来、使用者が歩行時に携帯して、歩数、歩行距離、歩行速度および歩行により消費したカロリー量を数値やグラフィック等で表示する歩数計が一般に知られている。更に、このような歩数計機能を腕時計などの電子端末に組み込んだものも知られている。人は歩行の際に手を振るため、その動きを腕時計の加速度センサで検知することにより、容易に歩数を検知することができる。
【０００３】
このような歩数計は、１日またはデータをリセットするまでの累積歩数や累積距離などを計測して、単に表示するのみであった。また、消費カロリーに関しては、速度や運動強度によって消費カロリーの計算式を変更して算出するものもあった。このように従来の歩数計は、単に数値を表示するのみであるため、過去の歩行がどのようなものであったかを振り返って確認すること困難であった。
【０００４】
そこで、測位情報を用いて、歩行の行程履歴を表示する歩数計が提案されている。特許文献１には、単位時間あたりの移動距離を計測する距離計測手段と、前記単位時間あたりの歩数を計測する歩数計測手段と、前記移動距離と前記歩数とから歩幅を算出する歩幅算出手段と、前記歩数と前記単位時間とからピッチを算出するピッチ算出手段と、前記単位時間における歩幅とピッチを、歩幅軸とピッチ軸とをもつ２次元グラフ上に表示する表示手段と、を備える携帯型歩行支援装置の発明が記載されている。
【先行技術文献】
【特許文献】
【０００５】
【特許文献１】特開２００９−２２２４０７号公報
【発明の概要】
【発明が解決しようとする課題】
【０００６】
特許文献１に記載されている発明では、歩数計本体にＧＰＳ（Global Positioning System）受信部が組み込まれている。このようなＧＰＳ受信部は消費電力が大きく、腕時計のように電源の制約が大きい環境で動作させるには不適切である。また、特許文献１の発明では、歩行した時間帯と歩行した行程との対応関係を知ることはできない。
【０００７】
一方で、いわゆるスマートフォンに歩数計機能を有するアプリケーションを組み込むことが行われている。しかし、スマートフォンは、ユーザの身体に密接するものではないため、加速度センサで検出した動きが歩行であるか否かの判定が正しく行えない場合がある。またジョギングの際にスマートフォンを携帯すると、スマートフォンを地面に落下させてしまうおそれがあり、不適切である。
【０００８】
そこで、本発明は、ユーザが過去の運動効果を容易に把握することを課題とする。
【課題を解決するための手段】
【０００９】
本発明は、上記目的を達成するため、
ユーザの歩数を計測する歩数計測手段を備えた電子端末と通信可能な無線通信手段、位置を測位する測位手段と、表示制御手段とを備えたエクササイズデータ表示装置であって、
前記無線通信手段は、前記電子端末からユーザの歩数履歴情報を受信し、
前記表示制御手段は、前記測位手段が測位した位置履歴情報と前記歩数履歴情報とを関連させて表示部に表示する、
ことを特徴とするエクササイズデータ表示装置である。
【発明の効果】
【００１０】
本発明によれば、ユーザが過去の運動効果を容易に把握することが可能となる。
【図面の簡単な説明】
【００１１】
【図１】スマートフォンの各部構成を示すブロック図である。
【図２】電子端末の各部構成を示すブロック図である。
【図３】電子端末の外観図である。
【図４】プロフィール設定画面を示す図である。
【図５】アクティビティ画面を示す図である。
【図６】エクササイズデータ表示画面（その１）である。
【図７】エクササイズデータ表示画面（その２）である。
【図８】エクササイズデータ表示画面上の地図に領域を指定したときである。
【図９】エクササイズデータ表示画面上の期間を指定したときである。
【図１０】エクササイズデータを示すグラフ領域の拡大図である。
【図１１】電子端末によるエクササイズログの記録処理を示すフローチャートである。
【図１２】スマートフォンによる行程ログの記録処理と、行程ログとエクササイズログの表示処理を示すフローチャートである。
【発明を実施するための形態】
【００１２】
以降、本発明を実施するための形態を、各図を参照して詳細に説明する。
図１は、スマートフォン１の各部構成を示すブロック図である。
このシステムは、スマートフォン１と電子端末２とが、Bluetooth（登録商標）Low Energyの近距離無線通信路を介して通信可能に接続されて構成される。本実施形態の電子端末２は、アドバタイズを送信する側であり、スマートフォン１はアドバタイズを受信する側である。スマートフォン１は、エクササイズの履歴データを表示するエクササイズデータ表示装置として動作する。
【００１３】
スマートフォン１は、ＣＰＵ（Central Processing Unit）１１、ＲＡＭ（Random Access Memory）１２、ＲＯＭ（Read Only Memory）１３、タッチパネルディスプレイ１４、フラッシュメモリ１５、計時部１６、無線ＬＡＮ通信部１７、キャリア通信部１８、近距離無線通信部１９、ＧＰＳ測位部１０を含んで構成される。
【００１４】
ＣＰＵ１１は、アプリケーション（ソフトウェアプログラム）を実行して、このスマートフォン１を統括制御する。タッチパネルディスプレイ１４は、情報を表示してユーザによる操作を受け付ける。ＲＡＭ１２は、揮発性メモリで構成される記憶部である。ＲＯＭ１３は、不揮発性メモリで構成される記憶部である。フラッシュメモリ１５は、書き換え可能な不揮発性メモリで構成される記憶部である。このフラッシュメモリ１５は、エクササイズデータ表示プログラム１５１、プロフィール情報１５２、エクササイズログ１５３、行程ログ１５４をそれぞれ格納している。
【００１５】
エクササイズデータ表示プログラム１５１は、このスマートフォン１で動作するアプリケーションのひとつである。エクササイズデータ表示プログラム１５１は、ＣＰＵ１１にエクササイズに係る歩数履歴情報のグラフを表示制御させると共に、エクササイズの際の行程を地図上に表示させる。プロフィール情報１５２は、ユーザの身長や体重と生年月日と性別と目標歩数などの情報である。エクササイズログ１５３は、電子端末２が計測したユーザの歩行情報の履歴である。行程ログ１５４は、このスマートフォン１が計測したユーザの行程情報の履歴である。
【００１６】
タッチパネルディスプレイ１４は、平面状のディスプレイ上に透明なタッチパネルが積層されて構成される。ＣＰＵ１１は、このディスプレイに文字や図形などを表示すると共に、タッチパネルの操作情報を取得する。
【００１７】
計時部１６は、時刻を計時する。無線ＬＡＮ通信部１７は、例えばWi-Fi（登録商標）規格の無線通信を行う。キャリア通信部１８は、基地局とネットワークを介して無線通信を行う。近距離無線通信部１９は、例えばBluetooth（登録商標） Low Energy規格による近距離の無線通信を行う。ＣＰＵ１１は、この近距離無線通信部１９を用いて電子端末２からユーザの歩数の履歴情報を受信して、エクササイズログ１５３として保存する。
【００１８】
ＧＰＳ測位部１０は、公知のＧＰＳ（Global  Positioning  System）を利用して現在位置を測位し、緯度および経度、高度からなる位置情報を出力する。ＣＰＵ１１は、この位置情報の履歴を行程ログ１５４に記録する。
【００１９】
図２は、電子端末２の各部構成を示すブロック図である。
電子端末２は、例えばデジタル方式の腕時計型の電子時計であるが、針式（アナログ方式）の腕時計型の電子時計であってもよいし、その他活動量計であってもよい。この電子端末２は、マイクロコンピュータ２１と、振動子２６と、電源部２７とを備えて時刻を計時する。電子端末２は、近距離無線通信ＩＣ（Integrated Circuit）２２と、液晶駆動回路２３および液晶表示部２３１と、操作ボタン２４と、加速度センサ２５とを備えている。
【００２０】
マイクロコンピュータ２１は、ＣＰＵ２１１と、ＲＯＭ２１５と、ＲＡＭ２１６を含んで構成される。このＣＰＵ２１１は、発振回路２１２と、分周回路２１３と、計時回路２１４とを含んで構成される。
【００２１】
ＣＰＵ２１１は、各種演算処理を行い、電子端末２の全体動作を統括制御する。ＣＰＵ２１１は、不図示の制御プログラムを読み出して実行し、継続的に各部に時刻表示に係る動作を行わせる。ＣＰＵ２１１は、液晶駆動回路２３を駆動して、液晶表示部２３１に時刻情報や歩数情報や運動強度情報などを表示させる表示制御手段である。
【００２２】
ＲＡＭ２１６には、エクササイズログ２１７とプロフィール情報２１８が格納されている。エクササイズログ２１７は、この電子端末２が計測したユーザの歩行情報の履歴である。プロフィール情報２１８は、ユーザの身長や体重と生年月日と性別と目標歩数などの情報であり、スマートフォン１から受信した情報である。
【００２３】
液晶駆動回路２３は、液晶表示部２３１を駆動制御する回路である。ＣＰＵ２１１は、液晶駆動回路２３を制御することにより、液晶表示部２３１に所望の文字や図形を表示させる。
操作ボタン２４は、ユーザがこの時計を操作するためのボタンである。加速度センサ２５は、加速度を検知する。この加速度を演算処理することで、ＣＰＵ２１１は、ユーザの歩行や、歩行における運動強度を検知することができる。
【００２４】
振動子２６と発振回路２１２とは、固有の周波数信号を生成して分周回路２１３に出力する。振動子２６としては、例えば、水晶発振回路が用いられる。
分周回路２１３は、発振回路２１２から入力された信号をＣＰＵ２１１や計時回路２１４が利用する各種周波数の信号に分周して出力する。
【００２５】
計時回路２１４は、分周回路２１３から入力された所定の周波数信号の回数を計数し、初期時刻に加算してゆくことで現在の時刻を計数するカウンタ回路である。計時回路２１４により計数される現在の時刻は、ＣＰＵ２１１により読み出されて時刻表示に用いられる。この時刻の計数は、ソフトウェア的に制御されてもよい。
【００２６】
電源部２７は、電子端末２を長期間に亘って継続的、かつ安定的に動作させることが可能な構成となっており、例えば電池とＤＣ−ＤＣコンバータとの組み合わせである。これにより動作中の電源部２７の出力電圧は、所定値を保つ。
【００２７】
近距離無線通信ＩＣ２２は、例えばBluetooth（登録商標） Low Energy規格の通信により、スマートフォン１の近距離無線通信部１９との間で情報を送受信する無線通信手段である。
【００２８】
図３は、電子端末２の外観図である。
電子端末２は、現在の時刻を表示する液晶表示部２３１と、操作ボタン２４ａ〜２４ｄを含んで構成される。これら操作ボタン２４ａ〜２４ｄは、電子端末２を操作するための操作手段であり、そのうち操作ボタン２４ｃは、スマートフォン１との通信接続に係るボタンである。
最初、ユーザはスマートフォン１を操作してエクササイズデータ表示プログラム１５１を起動し、電子端末２との無線接続を指示する。このとき、ＣＰＵ１１は、タッチパネルディスプレイ１４上に通信誘導画面（不図示）を表示させる。
【００２９】
この通信誘導画面には、電子端末２のコネクトボタンを示す画像と、「長押し３秒・時計のBluetoothマークが点灯するまで長押ししてください。」の吹き出しが表示されている。ユーザが、この通信誘導画面に従って電子端末２の操作ボタン２４ｃを長押しして、電子端末２とスマートフォン１との間でペアリングが実行されて、無線接続される。これ以降、電子端末２とスマートフォン１とは、１日あたり４回、予め定められた時刻に自律的に通信接続して情報を同期し、その後に通信を切断する。少なくとも１日に１回は通信接続が可能であると仮定すると、ＣＰＵ２１１は、１日分のエクササイズログ２１７を記録すればよくなる。よってＲＡＭ２１６の容量は、小さなものであってもよい。
【００３０】
図４は、プロフィール設定画面４３である。
ユーザがエクササイズデータ表示プログラム１５１を起動したのち、メイン画面からプロフィール設定を指示すると、ＣＰＵ１１は、タッチパネルディスプレイ１４上にプロフィール設定画面４３を表示させる。
【００３１】
プロフィール設定画面４３は、身長欄４３１、体重欄４３２、生年月日欄４３３、性別欄４３４、目標歩数欄４３５を含んでいる。
身長欄４３１は、ユーザの身長を表示する欄である。この身長欄４３１をタップすると、ユーザの身長を入力するドラムロール式メニューが表示されて、値を修正可能である。
【００３２】
体重欄４３２は、ユーザの体重を表示する欄である。この体重欄４３２をタップすると、ユーザの体重を入力するドラムロール式メニューが表示されて、値を修正可能である。
生年月日欄４３３は、ユーザの生年月日を表示する欄である。この生年月日欄４３３をタップすると、ユーザの生年月日を入力するカレンダー式入力が表示されて、値を修正可能である。
【００３３】
性別欄４３４は、ユーザの性別を表示し、かつ入力する欄である。現在、図４では「男性」が選択されており、太字で示されている。「女性」は選択されておらず、通常の太さで示されている。ここでユーザが「女性」をタップすると、「女性」が太字で表示されて選択されていることを示すようになる。
【００３４】
目標歩数欄４３５は、ユーザが目標とする歩数を表示する欄である。この目標歩数欄４３５をタップすると、ユーザが目標とする歩数を入力するドラムロール式メニューが表示されて、値を修正可能である。
【００３５】
このプロフィール設定画面４３により、身長と体重と生年月日と性別と目標歩数からなるプロフィール情報１５２がフラッシュメモリ１５に保存される。プロフィール情報１５２は、電子端末２とスマートフォン１の同期により電子端末２のプロフィール情報２１８と同期される。
【００３６】
図５は、アクティビティ画面４４である。
ユーザがエクササイズデータ表示プログラム１５１を起動すると、このアクティビティ画面４４が表示される。
アクティビティ画面４４は、月度欄４４１、カレンダー領域４４２、歩数欄４４３、消費カロリー欄４４４、詳細ボタン４４５を含んでいる。
月度欄４４１は、現在の月度を示す欄であり、ここでは「２０１８年１月」と表示されている。
【００３７】
カレンダー領域４４２は、現在の月度のカレンダーを表示する領域である。カレンダー領域４４２のうち、本日または過去のいずれかの日をタップすると、後記するエクササイズデータ表示画面４５に遷移する。
歩数欄４４３は、現在の月度における累計の歩数を表示する欄である。
消費カロリー欄４４４は、現在の月度における累計の消費カロリーを表示する欄である。
詳細ボタン４４５は、本日のエクササイズデータを表示するエクササイズデータ表示画面４５に遷移する画面である。
【００３８】
図６と図７は、エクササイズデータ表示画面４５を示す図である。図６は、エクササイズデータ表示画面４５の上半分を示している。図７は、下方向にスクロールして表示される下半分の画面を示している。
【００３９】
エクササイズデータ表示画面４５の上部には、日選択ボタン４５１と週選択ボタン４５２と月選択ボタン４５３が表示され、いずれかが選択状態になっている。図６では、日選択ボタン４５１が選択状態であり、日単位のエクササイズデータが表示されていることを示している。
【００４０】
これら日選択ボタン４５１と週選択ボタン４５２と月選択ボタン４５３の下側には、年月日欄４５４が表示されている。年月日欄４５４は、選択された期間の年月日を表示する欄であり、図６では「２０１８年１月１５日」が表示されている。ユーザが年月日欄４５４の右側のアイコンをタップすることで、選択期間をひとつ後の「２０１８年１月１６日」にずらすことができる。ユーザが年月日欄４５４の左側のアイコンをタップすることで選択期間をひとつ前の「２０１８年１月１４日」にずらすことができる。
【００４１】
年月日欄４５４の下側はスクロール領域であり、上下のスワイプによりスクロールする。エクササイズデータ表示画面４５のスクロール領域の上半分には、行程５１を示す地図領域５と、グラフ領域６が表示されている。
地図領域５に表示された行程５１は、このスマートフォン１の位置情報の履歴を２次元の地図上に示したものである。グラフ領域６は、ユーザの歩数情報の履歴を運動強度別に示したものである。
【００４２】
エクササイズデータ表示画面４５のスクロール領域の下半分には、総歩数欄４５５、平均歩数欄４５６、最高歩数欄４５７、目標達成回数欄４５８、総消費カロリー欄４５９、平均消費カロリー欄４５０が表示されている。
総歩数欄４５５は、選択された期間における累計の歩数を表示する欄であり、ここでは２０１８年１月１５日における累計の歩数が表示されている。
平均歩数欄４５６は、選択された期間における１時間ごとの平均歩数を表示する欄であり、ここでは２０１８年１月１５日における平均歩数が表示されている。
最高歩数欄４５７は、選択された期間における１時間ごとの歩数の最高値を表示する欄であり、ここでは２０１８年１月１５日における最高歩数が表示されている。
目標達成回数欄４５８は、選択された期間における目標達成回数を表示する欄である。
総消費カロリー欄４５９は、選択された期間における消費カロリーの総計を表示する欄であり、ここでは２０１８年１月１５日における消費カロリーの総計が表示されている。
平均消費カロリー欄４５０は、選択された期間における１時間ごとの消費カロリーの平均値を表示する欄であり、ここでは２０１８年１月１５日における１時間ごとの消費カロリーの平均値が表示されている。
【００４３】
図８は、エクササイズデータ表示画面４５上の地図に、領域５２を指定したときの画面である。
図６に示すエクササイズデータ表示画面４５において、ユーザが地図領域５をマルチタップすると、領域５２が指定されて、図８に示した画面に遷移する。
この領域５２に行程５１が含まれているので、ＣＰＵ１１は、この行程５１に対応するエクササイズデータを参照して、歩数情報５３と消費カロリー情報５４とを地図領域５上に表示する。これによりユーザは、過去の歩行を示す行程５１の一部について、その歩数と消費カロリーを好適に確認することができる。
【００４４】
図９は、エクササイズデータ表示画面４５上の期間を指定したときの画面である。
図６に示すエクササイズデータ表示画面４５において、ユーザがグラフ領域６をマルチタップすると、所望の期間が指定されて、図９に示した画面に遷移する。ここでは、所望の期間として９時台が指定されている。
地図領域５には、新たに時間内行程５５と、歩数情報５３と消費カロリー情報５４が表示される。
時間内行程５５は、行程５１のうちユーザが指定した期間のものを示している。歩数情報５３と消費カロリー情報５４は、ユーザが指定した期間における歩数と消費カロリーが表示される。これによりユーザは、過去の歩行を示す行程５１のうち指定した期間のものについて、その行程と歩数と消費カロリーを好適に確認することができる。
【００４５】
図１０は、エクササイズデータを示すグラフ領域６の拡大図である。
このグラフ領域６の棒グラフは、横軸が２４時間制の時刻を示し、縦軸が歩数を示している。各棒グラフの高さは、各期間における歩数を示している。各棒グラフ上には更に、サーキットトレーニングアイコン６１やストップウォッチアイコン６２が表示されており、各期間において、電子端末２をどのように用いてエクササイズを実行したかを示している。
【００４６】
左端の棒グラフは、１０時台のエクササイズの状況を示している。この期間の歩数は、１４，２８７歩である。
１１時台の棒グラフによれば、歩数は９，８２１歩である。この棒グラフ上には、サーキットトレーニングアイコン６１が表示されており、ユーザが電子端末２をインターバルタイマモードで動作させたことを示している。
【００４７】
なお、インターバルタイマとは、指定の間隔で繰り返しアラームを鳴らすタイマのことをいう。ユーザは、電子端末２をインターバルタイマモードで動作させることにより、筋肉を大きく使う運動と、短いインターバルを交互に取り入れて、心拍数を適度に保ったまま有酸素運動を継続して行うことができる。なお、このような運動は、サーキットトレーニングと呼ばれている。
【００４８】
１２時台の棒グラフによれば、歩数は１１，８９７歩である。この棒グラフ上には、サーキットトレーニングアイコン６１が表示されており、ユーザが電子端末２をインターバルタイマモードで動作させたことを示している。
１３時台の棒グラフによれば、歩数は９，７４２歩である。
１４時台の棒グラフによれば、歩数は１５，２８２歩である。この棒グラフ上には、ストップウォッチアイコン６２が表示されており、ユーザが電子端末２をストップウォッチモードで動作させたことを示している。
【００４９】
１５時台の棒グラフによれば、歩数は１０，１０５歩である。この棒グラフ上には、ストップウォッチアイコン６２が表示されており、ユーザが電子端末２をストップウォッチモードで動作させたことを示している。
１６時台の棒グラフによれば、歩数は８，７２４歩である。この棒グラフ上には、サーキットトレーニングアイコン６１が表示されており、ユーザが電子端末２をインターバルタイマモードで動作させたことを示している。
【００５０】
電子端末２のＣＰＵ２１１は、歩数計測により算出された単位時間当たり運動強度と、単位時間当たりの運動強度別の歩数、および、単位時間当たりに実施したストップウォッチ、または、インターバルタイマ機能の使用状況を記録する。ＣＰＵ２１１は、ＲＡＭ２１６に記録したエクササイズログ２１７を、Bluetoothなどの通信手段により、スマートフォン１に転送する。
【００５１】
スマートフォン１のＣＰＵ１１は、歩数計測により算出された単位時間当たりの運動強度別歩数と、トレーニングを目的としたストップウォッチ、または、インターバルタイマの使用状況を関連付けてグラフ表示する。これによりユーザは、過去の運動効果を容易に把握することができる。
【００５２】
図１１は、電子端末２によるエクササイズログ２１７の記録処理を示すフローチャートである。
電子端末２のＣＰＵ２１１は、ステップＳ１０〜Ｓ１２の歩行検知処理と、ストップウォッチまたはインターバルタイマの処理を並行して実行する。
【００５３】
歩行検知処理において、ＣＰＵ２１１は、加速度センサ２５によって加速度を検知し（ステップＳ１０）、この加速度によって歩行を検知する（ステップＳ１１）。そしてＣＰＵ２１１は、歩数と各歩行における運動強度を判定してエクササイズログ２１７に記録し（ステップＳ１２）、ステップＳ１６に進む。なお、ＣＰＵ２１１は、計測した加速度に、ユーザの身長と体重と性別で決定される変換係数を乗算することで、各歩行における運動強度を求める。
【００５４】
この歩行検知処理と並行して、ＣＰＵ２１１は、操作ボタン２４ａ〜２４ｄによる操作入力を判定する（ステップＳ１３）。ＣＰＵ２１１は、ストップウォッチの操作入力を検知すると、ステップＳ１４に進んでストップウォッチを実行し、そのことをエクササイズログ２１７に記録する。ＣＰＵ２１１は、インターバルタイマの操作入力を検知すると、ステップＳ１５に進んでインターバルタイマを実行し、そのことをエクササイズログ２１７に記録する。なお、ＣＰＵ２１１は、操作入力を検知しなかったときには、そのままステップＳ１６に進む。これにより、エクササイズログ２１７（歩数履歴情報）には、トレーニングを目的としたストップウォッチの使用状況またはインターバルタイマの使用状況が記録される。
【００５５】
ステップＳ１６において、ＣＰＵ２１１は、所定時刻であるか否かを判定する。ここで所定時刻とは、スマートフォン１との間で通信を確立する時刻である。ＣＰＵ２１１は、所定時刻でないならば（ステップＳ１６→Ｎｏ）、ステップＳ１０とステップＳ１３の並行処理を再び実行する。
【００５６】
ＣＰＵ２１１は、所定時刻ならば（ステップＳ１６→Ｙｅｓ）、スマートフォン１との間で通信確立を試みる（ステップＳ１７）。ＣＰＵ２１１は、スマートフォン１との間で通信確立しなかったならば（ステップＳ１８→Ｎｏ）、ステップＳ１０とステップＳ１３の並行処理を再び実行する。
【００５７】
ＣＰＵ２１１は、スマートフォン１との間で通信確立したならば（ステップＳ１８→Ｙｅｓ）、エクササイズログ２１７をスマートフォン１に送信し（ステップＳ１９）、このエクササイズログ２１７を消去する（ステップＳ２０）。ＣＰＵ２１１は更に、スマートフォン１からプロフィール情報１５２を受信して（ステップＳ２１）、ＲＡＭ２１６に保存する。これにより、スマートフォン１との間でプロフィール情報を同期させることができる。
その後、ＣＰＵ２１１は、ステップＳ１０とステップＳ１３の並行処理を再び実行する。
【００５８】
図１２は、スマートフォン１による行程ログ１５４の記録処理と、行程ログ１５４とエクササイズログ１５３の表示処理を示すフローチャートである。
ＣＰＵ１１は、タッチパネルディスプレイ１４の入力情報に基づき、操作入力されたか否かを判定する（ステップＳ３０）。ＣＰＵ１１は、操作入力が詳細ボタン４４５やカレンダー領域４４２のタップならば、地図領域５に行程５１を表示する（ステップＳ３１）。ＣＰＵ１１は更に、運動強度ごとに歩数を棒グラフで表示すると共に、サーキットトレーニングアイコン６１やストップウォッチアイコン６２を表示したグラフ領域６を表示する（ステップＳ３２）。ＣＰＵ１１は、ステップＳ３２の処理が終了すると、ステップＳ３５の処理に進む。
【００５９】
ＣＰＵ１１は、操作入力が地図領域５の領域５２の指定ならば、領域５２内の行程５１による歩数と消費カロリーを表示し（ステップＳ３３）、ステップＳ３５の処理に進む。なお、ユーザによる領域５２の指定は、位置履歴情報の一部を指定する指示に相当する。
ＣＰＵ１１は、操作入力がグラフ領域６の期間の指定ならば、この時間内行程５５と、それによる歩数と消費カロリーを表示し（ステップＳ３４）、ステップＳ３５の処理に進む。なお、ユーザによるグラフ領域６の期間の指定は、歩数履歴情報の一部を指定する指示に相当する。
【００６０】
ステップＳ３５において、ＣＰＵ１１は、ＧＰＳ測位部１０で測位し（ステップＳ３５）、測位した位置情報を行程ログ１５４に記録する（ステップＳ３６）。
【００６１】
ステップＳ３７において、ＣＰＵ１１は、所定時刻であるか否かを判定する。ここで所定時刻とは、電子端末２との間で通信を確立する時刻である。ＣＰＵ１１は、所定時刻でないならば（ステップＳ３７→Ｎｏ）、ステップＳ３０の処理に戻る。
【００６２】
ＣＰＵ１１は、所定時刻ならば（ステップＳ３７→Ｙｅｓ）、電子端末２との間で通信確立を試みる（ステップＳ３８）。ＣＰＵ１１は、電子端末２との間で通信確立しなかったならば（ステップＳ３９→Ｎｏ）、ステップＳ３０の処理に戻る。
【００６３】
ＣＰＵ１１は、電子端末２との間で通信確立したならば（ステップＳ３９→Ｙｅｓ）、電子端末２からエクササイズログ２１７を受信し（ステップＳ４０）、エクササイズログ１５３として保存する（ステップＳ４１）。ＣＰＵ１１は更に、プロフィール情報１５２を電子端末２に送信して（ステップＳ４２）、ステップＳ３０の処理に戻る。
【００６４】
（変形例）
本発明は、上記実施形態に限定されることなく、本発明の趣旨を逸脱しない範囲で、変更実施が可能であり、例えば、次の（ａ）〜（ｅ）のようなものがある。
（ａ）  スマートフォン１と電子端末２との同期は、１日に４回に限定されない。また同期のトリガは時刻に限られず、任意のものであってもよい。
（ｂ）  スマートフォン１が行程ログに関連させてエクササイズログを表示する形式は、上記実施形態に限定されず、任意のものであってもよい。
（ｃ）  電子端末２のＣＰＵ２１１が計測するのは、運動強度別の歩数に限られず、単なる歩数でもよい。更にスマートフォン１がグラフ表示する対象は、運動強度別の歩数情報の履歴に限られず、単なる歩数情報の履歴であってもよい。
（ｄ）  スマートフォン１が、エクササイズログのグラフと関連付けて表示するアイコンは、サーキットトレーニングアイコン６１とストップウォッチアイコン６２に限定されない。電子端末２側の操作を示す任意のアイコンをエクササイズログのグラフと関連付けて表示してもよい。
（ｅ）  電子端末２は、歩数計測により算出された単位時間当たり消費カロリーと、単位時間当たりの消費カロリー別の歩数を、エクササイズログとして記録してもよい。なお、消費カロリーは、加速度センサが検知した加速度と、プロフィール情報に基づいて算出可能である。
【００６５】
以下に、この出願の願書に最初に添付した特許請求の範囲に記載した発明を付記する。付記に記載した請求項の項番は、この出願の願書に最初に添付した特許請求の範囲の通りである。
〔付記〕
《請求項１》
ユーザの歩数を計測する歩数計測手段を備えた電子端末と通信可能な無線通信手段、位置を測位する測位手段と、表示制御手段とを備えたエクササイズデータ表示装置であって、
前記無線通信手段は、前記電子端末からユーザの歩数履歴情報を受信し、
前記表示制御手段は、前記測位手段が測位した位置履歴情報と前記歩数履歴情報とを関連させて表示部に表示する、
ことを特徴とするエクササイズデータ表示装置。
《請求項２》
前記無線通信手段が受信する前記歩数履歴情報には、ユーザの運動強度別の歩数が含まれており、
前記表示制御手段は、ユーザの運動強度別の歩数履歴情報を表示する、
ことを特徴とする請求項１に記載のエクササイズデータ表示装置。
《請求項３》
前記無線通信手段が受信する前記歩数履歴情報には、ストップウォッチの使用状況またはタイマの使用状況が含まれており、
前記表示制御手段は、単位時間ごとに前記歩数計測手段により算出された歩数履歴情報を表示すると共に、前記ストップウォッチの使用状況または前記タイマの使用状況を関連させて表示する、
ことを特徴とする請求項１または２に記載のエクササイズデータ表示装置。
《請求項４》
前記表示制御手段が前記表示部に表示した情報に対する指示を受け付ける操作受付手段を更に備え、
前記操作受付手段が、前記位置履歴情報の一部を指定する指示を受け付けた場合、当該一部の位置履歴情報に対応するユーザの歩数履歴情報を表示する、
ことを特徴とする請求項１から３のうちいずれか１項に記載のエクササイズデータ表示装置。
《請求項５》
前記表示制御手段が前記表示部に表示した情報に対する指示を受け付ける操作受付手段を更に備え、
前記操作受付手段が、前記歩数履歴情報の一部を指定する指示を受け付けた場合、当該一部の歩数履歴情報に対応する位置履歴情報を表示する、
ことを特徴とする請求項１から３のうちいずれか１項に記載のエクササイズデータ表示装置。
《請求項６》
電子装置は、位置情報を測位して位置履歴情報として記録し、
ユーザの歩数を計測した電子端末と無線通信して、前記ユーザの歩数履歴情報を受信し、
前記電子装置の表示制御手段は、前記位置履歴情報と前記歩数履歴情報とを関連させて表示部に表示させる、
ことを特徴とするエクササイズデータ表示方法。
【符号の説明】
【００６６】
１  スマートフォン  （エクササイズデータ表示装置）
１１  ＣＰＵ  （表示制御手段）
１４  タッチパネルディスプレイ  （表示部、操作受付手段）
１５  フラッシュメモリ
１５１  エクササイズデータ表示プログラム
１５２  プロフィール情報
１５３  エクササイズログ  （歩数履歴情報）
１５４  行程ログ  （位置履歴情報）
１６  計時部
１９  近距離無線通信部  （無線通信手段）
１０  ＧＰＳ測位部  （測位手段）
２  電子端末
２１  マイクロコンピュータ
２１１  ＣＰＵ
２１７  エクササイズログ
２１８  プロフィール情報
２２  近距離無線通信ＩＣ
２３  液晶駆動回路
２３１  液晶表示部
２４ａ〜２４ｄ  操作ボタン
２５  加速度センサ
４１  通信誘導画面
４１１  吹き出し画像
４１２  ガイダンスリンク
４２  接続中画面
４３  プロフィール設定画面
４４  アクティビティ画面
４５  エクササイズデータ表示画面
４５１  日選択ボタン
４５２  週選択ボタン
４５３  月選択ボタン
４５４  年月日欄
４５５  総歩数欄
４５６  平均歩数欄
４５７  最高歩数欄
４５８  目標達成回数欄
４５９  総消費カロリー欄
４５０  平均消費カロリー欄
５  地図領域
５１  行程
５２  領域
５３  歩数情報
５４  消費カロリー情報
５５  時間内行程
６  グラフ領域
６１  サーキットトレーニングアイコン
６２  ストップウォッチアイコン
【図１】
2019136136.tif 000003
【図２】
2019136136.tif 000004
【図３】
2019136136.tif 000005
【図４】
2019136136.tif 000006
【図５】
2019136136.tif 000007
【図６】
2019136136.tif 000008
【図７】
2019136136.tif 000009
【図８】
2019136136.tif 000010
【図９】
2019136136.tif 000011
【図１０】
2019136136.tif 000012
【図１１】
2019136136.tif 000013
【図１２】
2019136136.tif 000014